(57)【要約】【課題】  使用後の包装箱を格別な面倒なく再利用でき、優雅さやインテリアとしての趣きに溢れ、更に収納された商品の特性を強くアピールする力を有する、ランターンとして再利用可能な包装箱を提供する。【解決手段】  製品を収納するための包装箱１０が、透明または半透明な合成樹脂製シートに、透明または半透明な部分１１ａ、１１ｂを一部残して模様が印刷されたシートで構成され、電気的または電子的に発光するキャンドル２０と組合わせられている。【選択図】  図１
0003138098.tif 000002
【実用新案登録請求の範囲】
【請求項１】
製品を収納するための包装箱が、透明または半透明な合成樹脂製シートに、透明または半透明な部分を一部残して模様が印刷されたシートで構成されていることを特徴とするランターンとして再利用可能な包装箱。
【請求項２】
製品を収納するための包装箱が、透明または半透明な合成樹脂製シートに、透明または半透明な部分を一部残して模様が印刷されたシートで構成され、電気的または電子的に発光するキャンドルと組合わせられていることを特徴とする、製品取出し後にランターンとして再利用可能な包装箱。
【請求項３】
前記電気的または電子的に発光するキャンドルが蝋燭の炎のように炎が揺れる状態で発光するキャンドルであることを特徴とする請求項２に記載のランターンとして再利用可能な包装箱。
【請求項４】
前記模様は、透明または半透明な部分が多数点在しているものであることを特徴とする請求項１〜３の何れか１項に記載のランターンとして再利用可能な包装箱。
【請求項５】
前記包装箱の一部に穴が設けられており、該穴から前記包装箱に収納された製品に触れることができることを特徴とする請求項１〜４の何れか１項に記載のランターンとして再利用可能な包装箱。
【請求項６】
ランターンとして利用した場合に、前記穴から磁石を差込むことができることを特徴とする請求項５に記載のランターンとして再利用可能な包装箱。
【考案の詳細な説明】
【技術分野】
【０００１】
本考案は製品を収納するための包装箱に関する。より詳しくは、本考案はランターン（提灯）として再利用可能な、製品を収納するための包装箱に関する。
【背景技術】
【０００２】
一般に製品を収納するための包装箱には、各種の文字・図形・模様等のデザインが施されており、流通過程や店舗での陳列販売の時点などにおいて製品を保護する目的で使用されている。
【０００３】
消費者は、包装箱に製品が収められた状態で商品を購入し、製品取出し後に、包装箱をごみ箱に捨てるなど廃棄処理している。
【０００４】
このように、従来、製品を収納するための包装箱は、再利用されることなく、内容物を消費すると、すぐにゴミとされていた。
【０００５】
昨今において、ゴミの増加による環境破壊が問題視されるようになっていることから、空箱となった包装箱を何らかの用途に再利用できるようにすることが要望されている。
【０００６】
このような要望に応えるものとして、特許文献１（実開昭５９−１９５６６号公報）には、箱胴部の貼着片を引き開いて箱胴部を反転でき、内面に設けた動物、植物、乗物、建築物等の絵柄が外部に表出するようにして、児童用の創作教材として再利用できるようにした菓子容器が開示されている。
【０００７】
しかし、特許文献１に開示された菓子容器では、比較的収容量が大きい場合には、箱の胴部における貼着片が比較的大型となり、引き剥がすことが容易ではない。また、剥がす代りに粘着片の基端部で切断した場合は、切断された貼着片が外部に表出するようになり、箱を反転して形成した立体物としては形態が損なわれてしまうという問題が生じることもある。
【０００８】
この対策として、特許文献２（特許第３８７０６２３号公報）では、胴部の貼着片を、貼着片が相対する側板の外面に貼付け、閉鎖天部と閉鎖底部とのそれぞれにおいて、折り倒しにより外層側に位置して相対する一対のフラップに跨るようにして透明貼着部材を貼付けて閉鎖し、箱の内外を反転しても外観の損なわれない立体物が得られるようにし、空箱を有用に再利用して、切り妻型家屋形状の立体物おもちゃ等とすることが開示されている。
【０００９】
また、特許文献３（実用新案登録第３０５５１９２号公報）には、包装箱の底面及び／又は側面に、連結される列車の一車両分の切取図形が描かれており、切取図形は切取り線、のり代、谷折り線、山折り線等を備えており、この切取図形を切取り一車両分の列車を組立てておもちゃとして再利用できるようにした包装箱が開示されている。
【００１０】
更に、特許文献４（実用新案登録第３０７４３４１号公報）には、外箱と内箱とからなり、外箱は扁平角筒状で、一方の端面は開放されていて、ここから内箱を自由に出入れでき、内箱の内寸法はＡ４、Ｂ５などの用紙の規格サイズに符合しており、外箱の開放端縁に内方に向かって折返された抜止め用引掛片が付いており、内箱の側面には内箱抜止め機能を有する引掛片が嵌り込む引掛孔があり、使用後に、書類入れとして再利用できるようにしたタオルなどの贈答用の化粧箱が開示されている。
【特許文献１】実開昭５９−１９５６６号公報
【特許文献２】特許第３８７０６２３号公報
【特許文献３】実用新案登録第３０５５１９２号公報
【特許文献４】実用新案登録第３０７４３４１号公報
【考案の開示】
【考案が解決しようとする課題】
【００１１】
上述した特許文献１〜４に開示された包装箱は、包装箱としての使用後に、動物、植物、乗物、建築物等の児童用の創作教材、切り妻型家屋形状の立体物おもちゃ、列車等おもちゃ、書類入れ等とするものであるが、これらに転用する際に、包装箱を鋏で切ったり、手で折曲げたり、糊で貼ったりしなければならず、その作業が面倒である。
【００１２】
また、特許文献１〜４に開示された包装箱から得られた動物、植物、乗物、建築物等の創作教材、切り妻型家屋形状の立体物おもちゃ、列車等おもちゃ、書類入れ等は、何れも、優雅さに欠け、インテリアとしての趣きに欠けるものである。
【００１３】
更に、特許文献１〜４に開示された包装箱は、包装箱に収納された商品の特性そのものをアピールするということは意図しておらず、商品のアピール力に乏しいという課題がある。
【００１４】
本考案は、特許文献１〜４に付随する上述のような問題を解消して、使用後の包装箱を格別な面倒なく再利用でき、優雅さやインテリアとしての趣きに溢れ、ランターンとして再利用可能な包装箱を提供することを目的とする。更に、収納された商品の特性を強くアピールする力を有する、ランターンとして再利用可能な包装箱を提供することを目的とする。
【課題を解決するための手段】
【００１５】
本考案においては、上述の目的を、製品を収納するための包装箱が、透明または半透明な合成樹脂製シートに、透明または半透明な部分を一部残して模様が印刷されたシートで構成されていることを特徴とするランターンとして再利用可能な包装箱により、達成する。
【００１６】
より具体的には、本考案により、製品を収納するための包装箱が、透明または半透明な合成樹脂製シートに、透明または半透明な部分を一部残して模様が印刷されたシートで構成され、電気的または電子的に発光するキャンドルと組合わせられていることを特徴とする、製品取出し後にランターンとして再利用可能な包装箱が提供される。
【００１７】
なお、本考案に用いる電気的または電子的に発光するキャンドルとは、電気により発光するＬＥＤまたは電球等を具備したキャンドルでもよく、「電子キャンドル」もしくは  「炎が揺れる電子キャンドル」の商品名で販売されている蝋燭の炎のように炎が揺れる状態で発光し、もしくは磁石付きのマッチ棒により点いたり、消えたりしたり、人の吐く息により蝋燭の炎のように揺らいだりするキャンドル等でもよい。或いは特開２００２−２７００１３号公報、特開２００３−１８７６１５号公報、または特開２００６−３５１３６０号公報に開示されたキャンドルであって、蝋燭の炎のように炎が揺れる状態で発光したり、または磁石付きのマッチ棒により点いたり、消えたりしたり、人の吐く息により蝋燭の炎のように揺らいだりするキャンドル等を利用してもよい。
【００１８】
包装箱に印刷する模様として、透明または半透明な部分を一部残した模様を選択することが好ましい。この場合、透明または半透明部分が多数点在していることが好ましい。
【００１９】
本考案の包装箱は、包装箱の一部に穴が設けられていてもよい。この穴は、好ましくは人の指が挿入できる大きさとする。
【考案の効果】
【００２０】
本考案によれば、透明または半透明な合成樹脂製シートを用いて包装箱を構成するとともに、その包装箱に印刷する模様を透明または半透明な部分を一部残した模様とすることにより、収納した製品（例えば、タオルやＴシャツのような布製商品）を包装箱から取出した後に、包装箱を鋏で切ったり、手で折曲げたり、糊で貼ったりするという面倒な作業をすることなく、空になった包装箱の内部に電気的または電子的に発光するキャンドルを置くだけでよく、包装箱の内部に置いた電気的または電子的に発光するキャンドルを点灯すると、包装箱はランターン（提灯）として再利用することができ、特に電気的または電子的に発光するキャンドルが蝋燭の炎のように揺らぐと一層幻想的な雰囲気を醸し出すことができる。
【００２１】
また、本考案においては、包装箱に印刷する模様を、収納するタオルやＴシャツのような商品の特性を加味してその特性を想起させるような模様を選択することにより、商品包装時には包装箱の模様により収納されタオルやＴシャツのような商品の模様を消費者にアピールすることができ、また、ランターン（提灯）として再利用する際にも、収納されていた商品を再度想起させることができる。
【００２２】
特に、本考案は、日本的な意匠が施された製品を包装箱内に収納し、包装箱の模様もまた日本的な意匠とすることにより、ランターン（提灯）として再利用時に日本の提灯（ジャバニーズ  ランターン）と相俟って包装箱の収納品の日本調意匠を強く想起させ、外国への土産品として最適である。
【００２３】
本考案の包装箱は、包装箱の一部に穴が設けられていると、消費者は商品購入時に、この穴から包装箱に収納された製品に手で触れて、収納製品の品質をチェックすることができる。特に、タオルやＴシャツのような布製品にあっては、消費者はその製品の手触りなどの品質を確認することを好むものである。
【００２４】
また、ランターン（提灯）としての再利用時には、この穴は上述した磁石付きのマッチ棒状操作具の挿入に利用したり、息を吹き付ける際に利用することができる。
【００２５】
本考案の包装箱の模様に透明または半透明部分が多数点在していると、ランターン（提灯）としての再利用時に、点在した多数の透明または半透明部分から内部の電気的または電子的キャンドルの光が漏れ、一層ランターンとしての幻想的な雰囲気を高めることができる。
【考案を実施するための最良の形態】
【００２６】
以下、本考案を図示した実施例に基づいて、本考案を詳細に説明する。
【実施例１】
【００２７】
図１は本考案の第一実施例を示し、（ａ）は製品を収納するための、直方体形状をした包装箱の上蓋を開いた状態の斜視図、（ｂ）はランターンとして使用時に包装箱内に置き電子的に発光するキャンドルの斜視図、（ｃ）は（ｂ）に示すキャンドルを操作するためのマッチ棒状操作具の斜視図である。
【００２８】
図１（ａ）において、製品を収納するための包装箱１０は、透明または半透明な合成樹脂シートであり、特に材質は限定されないが、価格、強度などの観点から、ＰＰ（ポリプロピレン）やポリエステル（ＰＥＴ）が好ましい。
【００２９】
包装箱１０は、従来から製品を収納するために用いられている包装箱と同様に、直方体、三角柱体、六角柱体、もしくは八角柱体等の角柱形状または円柱形状などの形状とすることができる。
【００３０】
この図示した実施例では直方体形状としており、上蓋１０ａの一辺１０ｃが包装箱本体１０ｂに押罫により蝶番状に連結しており、一辺１０ｃの回りに上蓋１０ａを開閉可能としている。符号１０ｄは包装箱の下蓋であり、上蓋１０ａと同様な構成となっている。
【００３１】
なお、上蓋１０ａ、下蓋１０ｄに代えて、図２の実施例に示すような包装箱本体１０ｂに嵌合するキャップ状の蓋を用いることもできる。
【００３２】
包装箱１０のシートには、適宜な模様（図１に示す実施例では青海波模様）１１が印刷されている。この実施例では、波の輪郭線１１ａは透明または半透明な部分として残し、輪郭線１１ａで囲まれる波部分は青色等の適宜な色に印刷されており、青海波模様１１が印刷されている。更に、各波の根本（要部）も透明または半透明な部分として残しており、包装箱１０の模様に透明または半透明な部分が多数点在していて、ランターン（提灯）としての再利用時に、点在した多数の透明または半透明な部分から内部の電気的または電子的キャンドルの光が漏れ、ランターンとしての幻想的な雰囲気を高めることができる。
【００３３】
また、包装箱１０の一部に穴１２が設けられており、消費者は商品購入時に、この穴１２から包装箱に収納されたタオルやＴシャツのような衣料品からなる製品に手で触れて、収納製品の手触り等の品質をチェックすることができる。
【００３４】
図１（ｂ）はランターンとして使用時に包装箱１０内に置き電子的に発光するキャンドル２０の斜視図である。このキャンドル２０としては、「電子キャンドル」の商品名で販売されている蝋燭の炎のように炎が揺れる状態で発光するキャンドルを用いることができる。
【００３５】
キャンドル２０は、蝋燭状の小径円柱からなり、蝋燭の炎のように炎が揺れる状態で発光するキャンドル本体２１と、キャンドル本体２１を支承する架台２４とからなり、キャンドル本体２１の内部には磁石センサ２２と気流センサ２３が設けられている。
【００３６】
図１（ｃ）に示す磁石付きのマッチ棒状操作具２５は穴１０から包装箱１０内へ挿入し、キャンドルの状態を操作するものであり、マッチ棒形状をしており、磁石付き頭部２５ａを具備している。
【００３７】
商品の販売時には、包装箱本体１０ｂの下蓋１０ｄを閉じ、開いた包装箱本体１０ｂの上から製品（例えば、タオルやＴシャツのような布製商品）を収納し、包装箱本体１０ｂの上蓋１０ａを嵌合して、販売用の包装箱１０とする。この包装箱１０と、電子キャンドル２０とを組み合わせて販売する。
【００３８】
この商品を購入した消費者は、上蓋１０aを図１に示すように開き包装箱１０から製品を取出し、包装箱１０内に電子キャンドル２０を置く。包装箱１０をランターン（提灯）として再利用時には、上蓋１０aを閉じ、図１（ｃ）に示す磁石付きのマッチ棒状操作具２５を穴１０から包装箱内へ挿入し、磁石付き頭部２５ａをキャンドル本体２１の磁石センサ２２に近付けて、キャンドル２０を点灯させたり、消灯させたりすることができる。更に、包装箱１０の穴１０からキャンドル本体２１の気流センサ２３に息を軽く吹き付けることにより、キャンドル２０を蝋燭の炎のように炎が揺れる状態とすることができ、また、息を強く吹いて消灯させることができる。
【実施例２】
【００３９】
図２は、本考案の第二実施例を示し、（ａ）は製品を収納するための、小田原提灯形状とした包装箱の斜視図、（ｂ）はランターンとして使用時に包装箱内に置く、炎が揺れる電子キャンドルの斜視図である。
【００４０】
図２（ａ）において、製品を収納するための包装箱１０は、図１に示した実施例と同様に、透明または半透明なＰＰ（ポリプロピレン）、ポリエステル（ＰＥＴ）等の合成樹脂製であり、本実施例においては、合成樹脂シートとしてＯＰＰ（延伸ポリプロピレン）を用いている。
【００４１】
包装箱１０は、円柱形状をしており、包装箱本体１０ｂの上下に、好ましくはキャップ状に射出成型した蓋１３、１３′がそれぞれ嵌合するようになっている。包装箱１０のシートの地色部分は赤色等の適宜な色に印刷し、更にシートに適宜な模様（図１に示す実施例では桜の花模様）１５を印刷するとともに上下方向に間隔を開けて周方向に延在する蛇腹線１１ｃを透明または半透明部分として残しており、包装箱１０を小田原提灯形状としている。包装箱１０の一部に穴１２が設けられており、消費者は商品購入時に、この穴１２から包装箱に収納されたタオルやＴシャツのような衣料品からなる製品に手で触れて、収納製品の手触り等の品質をチェックすることができる。
【００４２】
蓋１３は、包装箱本体１０ｂの赤色と異なる、例えば黒色として包装箱１０の色彩にアクセントを付けることが好ましい。
【００４３】
ランターンとして使用時に包装箱１０内に置く、炎が揺れる電子キャンドル３０の斜視図を図２（ｂ）に示す。電子キャンドル３０は、「炎が揺れる電子キャンドル」の商品名で販売されているものを用いることができ、蝋燭の炎のように炎が揺れる状態で発光させる制御部を内蔵したキャンドル本体３１と、キャンドル本体３１により電球、ＬＥＤなどからなり、蝋燭の炎のように炎が揺れる状態で発光する炎部３２とからなる。
【００４４】
商品の販売時には、包装箱本体１０ｂの下に蓋１３′を嵌合し、図２に二点鎖線で示すように上蓋１０ａが開いた包装箱本体１０ｂの上から製品（例えば、タオルやＴシャツのような布製商品）を収納し、包装箱本体１０ｂの上に蓋１３を嵌合して、販売用の包装箱１０とする。この包装箱１０と、電子キャンドル３０とを組み合わせて販売する。
【００４５】
この商品を購入した消費者は、図２に二点鎖線で示すように上蓋１０ａを開いて包装箱１０から製品を取出し、次いで上蓋１０ａを閉じ包装箱１０内に電子キャンドル３０を置き、電子キャンドル３０を点灯すると、炎部３２が蝋燭の炎のように炎が揺れる状態で発光して包装箱１０が小田原提灯状のランターンとして発光する。
【図面の簡単な説明】
【００４６】
【図１】本考案の第一実施例を示し、（ａ）は製品を収納するための、直方体形状をした包装箱の上蓋を開いた状態の斜視図、（ｂ）はランターンとして使用時に包装箱に置く、電子的に発光するキャンドルの斜視図、（ｃ）は（ｂ）に示すキャンドルを操作するためのマッチ棒状操作具の斜視図である。
【図２】本考案の第二実施例を示し、（ａ）は製品を収納するための、小田原提灯形状とした包装箱の斜視図、（ｂ）はランターンとして使用時に包装箱内に置く、炎が揺れる電子キャンドルの斜視図である。
【符号の説明】
【００４７】
１０  包装箱
１０ａ  上蓋
１０ｄ  下蓋
１１  模様
１１ａ  波の輪郭線
１１ｂ  要部
１１ｃ  蛇腹線
１２  穴
１３  上蓋
１３′  下蓋
２０  電子的に発光するキャンドル
２１  キャンドル本体
２２  磁石センサ
２３  気流センサ
２４  架台
２５  マッチ棒状操作具
２５ａ  磁石付き頭部
３０  炎が揺れる電子キャンドル
３１  キャンドル本体
３２  炎部
【図１】
0003138098.tif 000003
【図２】
0003138098.tif 000004